(57)【要約】  開口部を有する容器（１）と、開口部を覆う蓋と、容器（１）の開口部から引き出し自在に設けたセンサ収納体（３）を備える。そして、センサ収納体（３）は、センサケース（５）と、複数のセンサ（６）と、このセンサ（６）を付勢するバネ（１０）を有する。また、センサケース（５）には、バネ（１０）によってセンサ（６）が付勢される部分にセンサ排出口（１５）を設ける。また、このセンサ排出口（１５）にはセンサ排出口（１５）を測定器のセンサ挿入口に合致させるためのガイド突起（１６）を設ける。さらに、容器（１）の内面には、この容器（１）の開口部からセンサケース（５）が引き出された状態において、センサケース（５）内のセンサ（６）の電極（７）とは反対側の端部に対応する部分に、このセンサ（６）の電極（７）とは反対側の端部に当接する押出突起（１７）を設ける。
2013187031.tif 000002
【特許請求の範囲】
【請求項１】
開口部を有する容器と、この容器の前記開口部を開閉自在に覆う蓋と、前記蓋を開けた状態で前記容器の前記開口部から引き出し自在に設けたセンサ収納体とを備え、
前記センサ収納体は、前記開口部から引き出し自在に設けられるセンサケースと、
前記センサケースの内部において、電極側を前記容器の開口部側にした状態で重合されて収納される複数の板状のセンサと、前記センサケースの内部において重合収納された前記センサを一方側に付勢する付勢体と、を有し、
前記センサケースには、前記容器の前記開口部側の面で、前記付勢体によって前記センサが付勢される部分にセンサ排出口を設けるとともに、前記センサ排出口の前記センサケースの外側部分には前記センサ排出口を測定器のセンサ挿入口に合致させるためのガイド突起を設け、
前記容器の内面には、前記容器の前記開口部から前記センサケースが引き出された状態において、前記センサケース内の前記センサの前記電極とは反対側の端部に対応する部分に、前記センサの前記電極とは反対側の端部に当接する押出突起を設けたセンサ収納容器。
【請求項２】
前記押出突起に対応する前記センサケースの部分には、溝状のガイド開口部を設け、前記押出突起は、前記容器の前記開口部からの前記センサ収納体の出し入れに伴って、前記ガイド開口部内を摺動する構成とした請求項１に記載のセンサ収納容器。
【請求項３】
前記センサケースの前記ガイド突起は、前記容器の前記押出突起側とした請求項２に記載のセンサ収納容器。
【請求項４】
前記押出突起を前記容器内に２つ設け、この２つの押出突起をセンサケース内に収納される前記センサの前記電極とは反対側の端部で、検体の点着部の両側に当接させる構成とした請求項１に記載のセンサ収納容器。
【請求項５】
前記容器の前記開口部において、前記蓋を前記押出突起とは反対側の部分に開閉自在に連結した請求項１に記載のセンサ収納容器。
【請求項６】
前記センサケースは、前記センサが付勢される側と対向する側に設けたセンサ収納開口部と、前記センサ収納開口部を開閉自在に覆う収納蓋とを有し、前記収納蓋を前記付勢体によって前記センサケースの外方側に付勢させる構成とした請求項１に記載のセンサ収納容器。
【請求項７】
前記収納蓋は、一端側を前記センサ収納開口部の、前記センサ収納体を前記容器内に収納した状態における前記容器の前記開口部側に接続する接続部とすると共に、他端側を遊端とした請求項６に記載のセンサ収納容器。
【請求項８】
前記収納蓋の外側表面には、前記収納蓋の遊端側から接続部側に向かって伸びる押し付け突起を設けた請求項６に記載のセンサ収納容器。
【請求項９】
前記収納蓋と前記センサケースは、可撓自在な接続部で接続し、この接続部とともに一体的に成型した請求項７に記載のセンサ収納容器。
【請求項１０】
前記収納蓋の外側表面で、前記収納蓋の遊端側には、前記センサケースを前記容器から引き出す際の引き出しストッパを設けた請求項９に記載のセンサ収納容器。
【請求項１１】
前記センサケースの前記センサ排出口の部分には、このセンサ排出口を挟んで前記ガイド突起と対応する位置に、センサ受け突起を設けた請求項１０に記載のセンサ収納容器。
【請求項１２】
前記センサケースには、前記容器の前記開口部側の面に、センサ残量確認窓を設けた請求項１に記載のセンサ収納容器。
【請求項１３】
前記センサケースの内部には、重合状態の前記センサと前記付勢体の間にセンサ台を設け、前記センサ台を前記センサケースの内部で摺動させる構成とし、前記センサ台の摺動位置に対向させて前記センサケースの前記センサ残量確認窓を設けた請求項１２に記載のセンサ収納容器。
【請求項１４】
前記センサ台の色を、前記センサケースとは異ならせた請求項１３に記載のセンサ収納容器。
【請求項１５】
前記センサケースの内部に、乾燥剤収納室を設け、前記乾燥剤収納室には、乾燥剤を収納させた請求項１３に記載のセンサ収納容器。
【請求項１６】
前記乾燥剤収納室の乾燥剤収納用開口部は、前記センサケースの内部において、前記センサ台の前記センサとは反対側に設けた請求項１５に記載のセンサ収納容器。
【請求項１７】
前記センサ台の前記センサとは反対側に前記付勢体の一端側を収納する筒状収納部を設けた請求項１３に記載のセンサ収納容器。
【請求項１８】
請求項１から１７のいずれか一項に記載されたセンサ収納容器を用いたセンサ装着方法であって、まず容器の蓋を開放し、次にこの容器の開口部からセンサケースの一部を容器外に引き出し、その後このセンサケースのガイド突起を測定器のセンサ挿入口に合致させ、次に測定器と容器が接近する方向に付勢することでセンサケース内に収納されたセンサを測定器のセンサ挿入口側に押し出させるセンサ装着方法。
【発明の詳細な説明】
【技術分野】
【０００１】
本発明は、たとえば血糖値を測定するセンサを収納するセンサ収納容器と、それを用いたセンサ装着方法に関するものである。
【背景技術】
【０００２】
従来のセンサ収納容器は、筒状の容器内部に、薄板状のセンサを密閉状態で複数枚収納している。使用者は、一枚のセンサを容器から取り出して血糖値の測定器に装着し、血糖値を測定する。【０００３】
この時、たとえば高齢者や目の不自由な人にとっては、筒状の容器内で無秩序に収納された複数枚のセンサから一枚のセンサを取り出すことは難しく、さらに、この取り出した薄板状のセンサを、このセンサに合わせて細長く形成されたセンサ挿入口に挿入する作業も難しいものであった。【０００４】
結論として、容器内のセンサを測定器に適切に装着することは難しく、その結果として使い勝手が悪かった。【０００５】
そこで、一枚のセンサを容器から排出し、測定器のセンサ挿入口に挿入させるセンサ収納容器が提案されている（例えば、特許文献１参照）。【０００６】
しかしながら、提案された従来のセンサ収納器は、依然として使い勝手が悪かった。【０００７】
すなわち、この従来例のセンサ収納容器は、使用者が、容器の外周側面を握ると排出トリガーが押され、一枚のセンサの電極が容器外に排出され、電極が露出した状態で容器に保持される。【０００８】
次に、この容器に保持されたセンサを測定器に挿入するが、電極が容器外に露出状態となった薄板状のセンサを、測定器に適切に接続するのは容易ではない。例えば、使用者は、センサ収納容器を持って、電極が露出したセンサを測定器のセンサ挿入口に差し込んでいくが、センサをセンサ挿入口に対して誤った角度で差してしまうと、薄板のセンサが屈曲してしまい、センサを損傷させてしまうことがある。また、使用者がセンサ収納容器を測定器に押し付けすぎてしまった時も、薄板のセンサが屈曲してしまい、センサを損傷させてしまうことがある。【０００９】
つまり、センサを測定器に装着することは依然として難しく、使い勝手が悪かった。
【先行技術文献】
【特許文献】
【００１０】
【特許文献１】特表２００８−５０２９０１号公報
【発明の概要】
【００１１】
本発明は、開口部を有する容器と、この容器の開口部を開閉自在に覆う蓋と、この蓋を開けた状態で容器の開口部から引き出し自在に設けたセンサ収納体とを備え、センサ収納体は、開口部から引き出し自在に設けられるセンサケースを備える。また、センサケースの内部において、電極側を容器の開口部側にした状態で重合されて収納される複数の板状のセンサと、このセンサケース内において重合収納されたセンサを一方側に付勢する付勢体を有する。また、センサケースには、容器の開口部側の面で、付勢体によってセンサが付勢される部分にセンサ排出口を設けるとともに、このセンサ排出口のセンサケースの外側部分にはセンサ排出口を測定器のセンサ挿入口に合致させるためのガイド突起を設ける。さらに、容器の内面には、この容器の開口部からセンサケースが引き出された状態において、センサケースの内部のセンサの電極とは反対側の端部に対応する部分に、このセンサの電極とは反対側の端部に当接する押出突起を設ける。
【００１２】
以上のように本発明のセンサ収納容器は、使用者が密閉状態となっている容器の蓋を開放しセンサケースを容器から引き出すと、センサがセンサ排出口に対向する位置に配置される。次に、使用者が、センサケースのガイド突起を測定器のセンサ挿入部に合致させることによりセンサケースから測定器へのセンサの進入路が形成される。この合致状態から、容器を測定器側に一度だけ押しつけると、この押し付け動作により、容器の押出突起がセンサケース内のセンサをセンサ排出口側に押し出し、押し出されたセンサが、センサの進入路を通って測定器の所定の位置に装着される。
【００１３】
つまり、密閉した容器の蓋を開放してセンサを収納したセンサケースを容器から引き出す。そして、センサケースのガイド突起を測定器のセンサ挿入部に合致させ、容器を測定器に押し付けるだけで、センサを測定器に装着させることができる。さらにこの時、引き出されたセンサケースが容器内に収納されるのである。
【００１４】
その後、容器の蓋を閉成すると、残りのセンサを再び密閉状態で収納することができる。
【００１５】
その結果として、使用者は、密閉状態で収納された容器内のセンサを測定器に容易に装着することができるので、使い勝手を良くすることができる。
【図面の簡単な説明】
【００１６】
【図１】図１は、本発明の第１の実施の形態に係るセンサ収納容器の斜視図である。
【図２】図２は、本発明の第１の実施の形態に係るセンサ収納容器の斜視図である。
【図３】図３は、本発明の第１の実施の形態に係るセンサ収納容器の斜視図である。
【図４】図４は、本発明の第１の実施の形態に係るセンサ収納容器のセンサ収納体の分解斜視図である。
【図５】図５は、本発明の第１の実施の形態に係るセンサ収納容器のセンサ収納体の斜視図である。
【図６】図６は、本発明の第１の実施の形態に係るセンサ収納容器の断面図である。
【図７】図７は、本発明の第１の実施の形態に係るセンサ収納容器の断面図である。
【図８】図８は、本発明の第１の実施の形態に係るセンサ収納容器の断面図である。
【図９】図９は、本発明の第１の実施の形態に係るセンサ収納容器の使用時の斜視図である。
【図１０】図１０は、本発明の第１の実施の形態に係るセンサ収納容器の使用時の斜視図である。
【図１１】図１１は、本発明の第１の実施の形態に係るセンサ収納容器の使用時の斜視図である。
【図１２】図１２は、本発明の第１の実施の形態に係るセンサ収納容器の使用時の斜視図である。
【図１３】図１３は、本発明の第１の実施の形態に係るセンサ収納容器のセンサ収納体の平面図である。
【図１４】図１４は、本発明の第２の実施の形態に係るセンサ収納容器のセンサケースの斜視図である。
【図１５】図１５は、本発明の第２の実施の形態に係るセンサ収納容器の断面図である。
【図１６】図１６は、本発明の第２の実施の形態に係るセンサ収納容器のセンサケースの斜視図である。
【図１７】図１７は、本発明の第２の実施の形態に係るセンサ収納容器の要部斜視図である。
【発明を実施するための形態】
【００１７】
以下、本発明の実施の形態を、添付図面を用いて説明する。なお、本発明は、下記実施の形態によって限定されるものではない。
【００１８】
（第１の実施の形態）
図１、図２に示すように、半発明の第１の実施の形態におけるセンサ収納容器は、上面に長方形状の開口部を有する角筒状の容器１と、この容器１の開口部を開閉自在に覆う蓋２と、容器１の内部に、容器１の開口部から引き出し自在に設けたセンサ収納体３を備えている。
【００１９】
なお、容器１と蓋２は、可撓自在な接続部４で接続され、この接続部４とともに合成樹脂で一体成型されている。そして、図３に示すように、センサ収納体３が容器１内に押し込まれた状態で、蓋２を閉成させると、容器１の内部は密閉状態となる。
【００２０】
図４は、センサ収納体３の分解斜視図である。
【００２１】
センサ収納体３は、直方体形状のセンサケース５を有している。このセンサケース５は、一方に図５に示す長方形状のセンサ収納開口部５ａを備え、このセンサ収納開口部５ａから、複数の長板状をした薄いセンサ６が挿入される。そして図１のようにセンサケース５が容器１の内部に収納された状態では、センサケース５の内部のセンサ６は、電極７側を容器１の開口部側（図４における上側）にした状態で重合されてセンサケース５に収納される。センサ６は、たとえば血糖値を測定するもので、長板形状のセンサ本体の両端に電極７、点着部８をそれぞれ有している。
【００２２】
図４に示すように、センサケース５の内部には、センサ６に続いて、センサ台９、バネ（付勢体の一例）１０が収納される。そして、収納蓋１１の係合孔１２をセンサケース５の係合突起１３に係合させ、センサケース５のセンサ収納開口部５ａを閉成する。すると、バネ１０が、センサ台９を介して、重合状態のセンサ６をセンサケース５のセンサ収納開口部５ａと対向する側へと、つまりセンサ案内壁１４へと付勢する。なお、センサ台９のバネ側部分には図６に示すように乾燥剤９ａが設けられ、容器１内を乾燥状態に保つ。
【００２３】
このように、センサ収納体３は、センサケース５、センサ台９、バネ１０、収納蓋１１により構成される。
【００２４】
図６はセンサ収納体３を容器１から引き出した状態の断面図である。
【００２５】
センサ収納体３を構成するセンサケース５は、容器１の開口部側の面（図６におけるセンサケース５の上側の面）において、バネ１０によってセンサ６が付勢されるセンサ案内壁１４部分に、センサ６の電極７に対向する位置にセンサ排出口１５を設けている。さらに、センサ排出口１５のセンサケース５の外側部分には、このセンサ排出口１５を図９に示す測定器１９のセンサ挿入口２０ａに合致させるため、凸形状のガイド突起１６をセンサ６の排出方向に向けて設けている。
【００２６】
また、この図６に示すように、容器１の内面には、容器１の開口部からセンサ６を収納するセンサケース５が引き出された状態において、センサケース５内のセンサ６の電極７とは反対側の端部に対応する部分に、このセンサ６の電極７とは反対側の端部に当接する押出突起１７を設けている。この押出突起１７は、ほぼ直方体の柱体で、センサケース５の内部で重合状態となったセンサ６の内、センサ案内壁１４に当接するセンサ６一枚の端部に当接させている。
【００２７】
押出突起１７に対応するセンサケース５のセンサ案内壁１４部分には、図４に示すように、溝状のガイド開口部１８を形成し、センサ収納体３を構成するセンサケース５の容器１の開口部からの出し入れに伴って、押出突起１７は、このガイド開口部１８内を摺動する構成となっている。
【００２８】
ガイド開口部１８は、センサ案内壁１４において、センサケース５の底面側から上面側に伸びる長手方向に沿った中央部に、溝状に形成している。ガイド開口部１８の長手方向に直交する方向の幅は、センサ６の長手方向に直交する方向の幅よりも小さくしているので、センサ６がガイド開口部１８から飛び出すことは無く、センサ６はセンサ案内壁１４の内部側に押しつけられる。
【００２９】
なお、センサケース５のガイド突起１６は、図６に示すように、容器１の押出突起１７側、つまり、図６におけるセンサケース５のセンサ排出口１５の上部としている。このため、容器１の底面から開口部方向に向けて、押出突起１７、センサ６の点着部８、センサ６の電極７、センサ排出口１５、ガイド突起１６が、この順番で直線上に位置することとなる。
【００３０】
このため、センサケース５が容器１から引き出された状態から、図７、図８に示すように、センサケース５が容器１内へと押し込まれて収納されていくと、容器１の押出突起１７が、センサケース５のガイド開口部１８を、図７、図８に示すように、ガイド突起１６に向かって摺動する。
【００３１】
つまり、センサケース５が容器１内へ収納される動作とともに、押出突起１７は、センサ６の電極７とは反対側の端部（つまり、点着部８）をセンサ排出口１５側へと押し出す。すると、図７に示すように、センサ６の電極７は、センサ案内壁１４に沿って、センサ排出口１５、ガイド突起１６へと進み、図８に示すように、センサケース５外に排出される。この排出動作終了時には、センサ６は、もはやセンサケース５に保持されていない状態となっている。
【００３２】
なおセンサ６は、長期間、空気に触れると測定機能が劣化するので、この劣化を防止するために、センサ６を収納したセンサ収納体３は、図３に示すように、容器１内に押し込まれた状態で、蓋２により閉成される。これにより、センサ６は容器１内に、密閉状態で収納される。
【００３３】
以上の構成において、以下に、本実施の形態の使用方法について説明する。
【００３４】
まず使用者は、図３に示す状態から蓋２を回動させて、図１に示すように、密閉状態であった容器１の上面を開放する。
【００３５】
次に、使用者が、図１の状態から図２の状態へと、センサ６を収納したセンサ収納体３を構成するセンサケース５を容器１から上方に引き出す。この時、センサ案内壁１４の外面においてセンサケース５の底面側に設けた、図４に示す２つのストッパ１４ａが、図７、図８に示すように、容器１の内壁に対向しながら開口部に向けて移動する。開口部に向けて移動したストッパ１４ａは、最後に、容器１の開口部のストッパ受け（図示せず）に当接し、センサケース５の引き出しが完了する。
【００３６】
図６に示すように、センサケース５の内部では、センサ６が、バネ１０によってセンサ案内壁１４に押しつけられ、センサ排出口１５に対向する位置に配置される。
【００３７】
つぎに使用者は、センサ６を測定器１９のセンサ挿入部２０に装着するため、測定器１９を、たとえば右手で持ち上げて、図９に示すように、この測定器１９に設けられたセンサ挿入部２０を、自分側に向ける。このセンサ挿入部２０は凹形状に形成され、その底部にセンサ６を挿入するセンサ挿入口２０ａが設けられている。
【００３８】
使用者は、センサケース５が引き出された容器１を図６の状態から図９の状態へと９０度回転させて左手で持ち、センサケース５のガイド突起１６を測定器１９のセンサ挿入部２０に対向させる。
【００３９】
本実施の形態において、センサ排出口１５とガイド突起１６は、センサケース５のセンサ案内壁１４側の端部に配置されているので、使用者は、端部に設けた凸形状のガイド突起１６を目印にして、測定器１９のセンサ挿入部２０に対向させることができる。
【００４０】
次に、使用者が、目の前で左右の手を接近させるようにして、図１０に示すように、ガイド突起１６を凹形状のセンサ挿入部２０に合致させると、センサケース５のセンサ排出口１５が、センサ挿入部２０の底部に設けたセンサ挿入口２０ａに対向した状態（ほぼ合致した状態）となる。
【００４１】
すなわち、測定器１９のセンサ挿入口２０ａは、水や埃の進入防止のため細長く形成されているため、目視では確認しづらいものであるが、本実施の形態においては、容器１のガイド突起１６を測定器１９のセンサ挿入部２０に合致させれば、センサケース５からセンサ挿入口２０ａへセンサの進入路を形成することができる。
【００４２】
なお、ガイド突起１６の凸形状とセンサ挿入部２０の凹形状は、ほぼ合致させているので、ガイド突起１６をセンサ挿入部２０にしっかりと合致させることができる。
【００４３】
この図１０の合致状態から、使用者が、容器１を測定器１９側に一度だけ押しつけると（容器１と測定器１９を近接させると）、図６〜図８に示すように、容器１の押出突起１７が、センサ案内壁１４に当接するセンサ６を１枚だけセンサ排出口１５側に押し出す。このセンサ６は、電極７側からセンサの進入路へと押し出される。つまり、センサ６は、センサ排出口１５を介して、ガイド突起１６へと押し出され、測定器１９のセンサ挿入口２０ａへと進入する。
【００４４】
そして、図１１に示すように、容器１を測定器１９に向けて最後まで押し込むと、測定器１９内では、センサ６の電極がセンサ挿入口２０ａの奥に配置されたコネクタ（図示せず）に機械的、電気的に接続されるとともに、容器１から引き出していたセンサケース５は再び容器１に収納される。
【００４５】
つまり、容器１を測定器１９側に一度だけ押しつけると、センサ６の装着動作が完了するとともに、センサケース５の収納動作も完了するのである。
【００４６】
したがって、センサ６の装着動作とセンサケース５の収納動作を同時に行うことができるので、使い勝手が良い。
【００４７】
また、本実施の形態においては、上述したごとく、容器１のガイド突起１６を測定器１９のセンサ挿入部２０と当接させる構成としている。このため、容器１を測定器１９に向けて最後まで押し込んだ時も、センサ６を測定器１９のコネクタ（図示せず）に押し込みすぎることはなく、センサ６を測定器１９のコネクタ（図示せず）に適切に挿入することができる。
【００４８】
この時、凸形状のガイド突起１６と凹形状のセンサ挿入部２０はしっかりと合致しているので、容器１と測定器１９が分離してしまうことなどはなく、センサ６の挿入中に誤ってセンサ６を破損させてしまうこともない。
【００４９】
その後、使用者が容器１を測定器１９から離すと、図１２に示すように、センサ６が測定器１９に装着された状態で現れる。この装着動作完了時（つまり、上述の排出動作終了時）には、センサ６は、もはやセンサケース５に保持されていないので、容器１を測定器１９から簡単に引き離すことができる。
【００５０】
最後に、容器１を蓋２で閉成すると、センサ収納体３に収納された残りのセンサ６を再び密閉状態で収納することができる。このためセンサ６の湿気による劣化を抑えることができる。
【００５１】
すなわち、センサ６の装着動作完了後は、容器１を蓋２で閉成するだけで容器１内のセンサ６を再び密閉状態とすることができるので、この点からも使い勝手が良い。
【００５２】
なお、測定器１９に装着されたセンサ６は、その点着部８に血液が点着され、この点着により、測定器１９が血糖値を測定し、その結果を表示部２１に表示する。そして、測定器１９の排出レバー２２が操作されると、センサ６はセンサ挿入部２０から排出され廃棄されることとなる。
【００５３】
さらにまた、本実施の形態においては、図１〜図３に示すように、容器１の開口部において、蓋２を、図６の押出突起１７とは反対側部分に、接続部４によって開閉自在に連結している。このため、上述したセンサ６の測定器１９への装着動作において、蓋２は、測定器１９および容器１の下方（図９〜図１２における下側）、つまり上方のガイド突起１６とは反対側に位置することになり、ガイド突起１６をセンサ挿入部２０に合致させる動作（つまりセンサ６の測定器１９への装着動作）の邪魔になることはない。
【００５４】
なお、このセンサ６の測定器１９への装着動作は、容器１を測定器１９側に一度だけ押しつけるものであるので、使用者が誤ってセンサ６の電極７に触ってしまい、センサ６にゴミ等を付着させた状態で測定器１９に挿入してしまうことはない。また、使用者がセンサ６に触らないので、使用者の熱がセンサ６に伝わって測定に悪影響を及ぼすことも無い。
【００５５】
これらの点からも、使い勝手が良い。
【００５６】
また、本実施の形態のように、容器１内にセンサケース５を引き出し自在に設け、容器１の押出突起１７がセンサケース５内のセンサ６を押し出す構成にすると、センサケース５を容器１から引き出すためにセンサケース５と容器１間にわずかな隙間が必要になる。しかし、この隙間があることにより、容器１の押出突起１７をセンサケース５の内部の薄板状のセンサ６に適切に当接させることができない惧れがある。
【００５７】
そこで本実施の形態のセンサケース５は、図５に示すように、センサ６がバネ１０により付勢される側と対向する側をセンサ収納開口部とすると共に、このセンサ収納開口部を開閉自在に覆う収納蓋１１を設けている。そして、この収納蓋１１は、一端側をセンサ収納開口部の、容器１の開口部側（図５の上側）に設けた係合突起１３に接続する構成とすると共に、他端側を遊端としている。そして、図６〜図８に示すように、収納蓋１１がセンサケース５のセンサ収納開口部を閉成した時には、収納蓋１１は、バネ１０によってセンサケース５の外方側に付勢させる構成としている。
【００５８】
このため、センサケース５の内部では、バネ１０がセンサ台９と収納蓋１１の中央部分を押し広げることにより、収納蓋１１の遊端が容器１の内壁に適切に押し付けられ、センサ台９を介して、センサ６とセンサ案内壁１４が、容器１の押出突起１７側に適切に押しつけられる。
【００５９】
したがって、容器１の押出突起１７と、センサ案内壁１４に当接するセンサ６との位置関係を適切に形成することができるのものとなり、押出突起１７をセンサ６の端部に当接させることができる。
【００６０】
その結果として、容器１の押出突起１７は、センサ６を１枚だけ押し出すことができる。
【００６１】
また、収納蓋１１の外側表面には、図５に示すように、遊端側から接続部側に向かって伸びる細長い押し付け突起２３を設けている。このため、収納蓋１１の遊端側では、押し付け突起２３が容器１の内壁に当接することとなり、押し付け突起２３が無い場合と比べてセンサケース５が容器１から引き出される時の接触抵抗を低減することが出来る。
【００６２】
その結果として、センサケース５を、容器１から、容易に引き出すことができ、また容易に押し込むことができ、この点からも、使い勝手が良い。
【００６３】
さらに本実施の形態では、図１３に示すように、センサケース５の容器１の開口部側の面に、センサ残量確認窓２４を設けた。このセンサ残量確認窓２４は、センサケース５内を摺動するセンサ台９の摺動位置に対向させて長方形状に設けている。このセンサ残量確認窓２４の近傍には、センサ６の残量を示す表示を設けている。
【００６４】
このため、使用者は、センサ残量確認窓２４から確認できるセンサ台９の位置によりセンサ６の残量を確認することができる。
【００６５】
また、センサ台９の色（たとえば、赤色）は、センサケース５の色（たとえば、白色）とは異ならせているので、使用者は、センサ残量確認窓２４を介してセンサ台９をはっきりと確認できる。たとえば、センサ６が無くなった時には、それまで見えていた白色のセンサ６に代わって赤色のセンサ台９だけが見えることになる。したがって、使用者は、センサ６が無くなったことを確認することができる。
【００６６】
なお、以上説明した本実施の形態のセンサケース５は、図１３に示すセンサ残量確認窓２４とセンサ排出口１５、さらに図４に示すガイド開口部１８が開口しているので、一見、センサケース５内のセンサ６が湿気により劣化してしまうように思われる。
【００６７】
しかしながら、本実施の形態においては、図３に示すように、センサケース５が容器１の内部に押し込まれた状態で蓋２を閉成すると、容器１内は密閉状態となり、センサ６の湿気による劣化は抑えられる。
【００６８】
以上説明したごとく、本実施の形態に係るセンサ収納容器は、開口部を有する容器１と、この容器１の開口部を開閉自在に覆う蓋２と、容器１内に開口部から引き出し自在に設けたセンサ収納体３とを備える。また、センサ収納体３が、開口部から引き出し自在に設けられるセンサケース５と、このセンサケース５の内部において、電極７側を容器１の開口部側にした状態で重合されて収納される複数の板状のセンサ６を有する。さらに、このセンサケース５の内部において重合収納されたセンサ６を一方側に付勢するバネ１０を有している。
【００６９】
センサケース５には、容器１の開口部側の面で、バネ１０によってセンサ６が付勢される部分にセンサ排出口１５を設けるとともに、このセンサ排出口１５のセンサケース５の外側部分にはセンサ排出口１５を測定器１９のセンサ挿入口２０ａに合致させるためのガイド突起１６を設けている。
【００７０】
さらに、容器１の内面には、この容器１の開口部からセンサケース５が引き出された状態において、センサケース５内のセンサ６の電極７とは反対側の端部に対応する部分に、このセンサ６の電極７とは反対側の端部に当接する押出突起１７を設けた構成としたものであるので、使い勝手が良い。
【００７１】
すなわち、本実施の形態においては、使用者が密閉状態となっている容器１の蓋２を開放し、センサ６を収納したセンサケース５を容器１から引き出すと、センサ６がセンサ排出口１５に対向する位置に配置される。次に、使用者が、センサケース５のガイド突起１６を測定器１９のセンサ挿入部２０に合致させることによりセンサケース５から測定器１９へのセンサ６の進入路が形成される。この合致状態から、容器１を測定器１９の側に一度だけ押しつけると、この押し付け動作により、容器１の押出突起１７がセンサケース５内のセンサ６をセンサ排出口１５側に押し出し、押し出されたセンサ６が、センサ６の進入路を通って測定器１９の所定の位置に装着される。
【００７２】
つまり、密閉した容器１の蓋２を開放してセンサ６を収納したセンサケース５を容器１から引き出す。そして、センサケース５のガイド突起１６を測定器１９のセンサ挿入部２０に合致させ、容器１を測定器１９に押し付けるだけで、センサ６を測定器に装着させることがでる。さらにこの時、引き出されたセンサケース５が容器１内に収納されるのである。
【００７３】
その後、容器１の蓋２を閉成すると、残りのセンサ６を再び密閉状態で収納することができる。
【００７４】
その結果として、使用者は、密閉状態で収納された容器内のセンサを測定器に容易に装着することができるので、使い勝手を良くすることができる。
【００７５】
（第２の実施の形態）
図１４は、本発明の第２の実施の形態に係るセンサ収納容器を構成するセンサ収納体３Ａを示し、図５に示す本発明の第１の実施の形態のセンサ収納体３とは、収納蓋１１のセンサケース５Ａへの取り付け方が異なる。
【００７６】
具体的には、センサ収納体３Ａにおいて、収納蓋１１Ａとセンサケース５Ａは、可撓自在な接続部２５で接続し、この接続部２５とともに一体的に樹脂成型している。これにより、構成部品の数を少なくし、制作工程を簡素化している。
【００７７】
収納蓋１１Ａの外側表面で、この収納蓋１１Ａの遊端側には、センサケース５Ａを容器１から引き出す際の引き出しストッパ２６を設けている。そして、センサ収納体３Ａを容器１に収めた図１５に示す状態から、センサケース５Ａが容器１の開口部より引き出されていくと、引き出しストッパ２６が容器１の開口部に設けたストッパ２７に当接し、センサケース５Ａの引き出しが完了する。
【００７８】
また、センサケース５Ａ内には乾燥剤収納室２８を設け、この乾燥剤収納室２８に乾燥剤収納用開口部２９から入れた乾燥剤（図示せず）を収納させ、その後、乾燥剤収納用開口部２９に通気性のカバー（図示せず）を貼り付ける構成としている。なお、乾燥剤収納用開口部２９は、センサケース５Ａの内部において、センサ台９の重合されたセンサ６とは反対側に設けている。
【００７９】
すなわち、乾燥剤はセンサケース５Ａ内の湿度を調整するために設けたものであり、このセンサケース５Ａの内部が多湿状態の時には、その湿気を吸収し、逆にこのセンサケース５Ａの内部が乾燥状態の時には、湿気を放出することで湿度を調整するようになっている。特に湿気を放出する時に、その放出部分にセンサ６が存在すると、このセンサ６に直接湿気が降り注がれる状態となるので好ましくない。
【００８０】
そこで、本実施の形態においては、乾燥剤収納用開口部２９は、センサケース５Ａの内部において、センサ台９の重合されたセンサ６とは反対側に設けており、このような構成とすれば、乾燥剤から湿気が放出される時でもそれがセンサ６に直接降り注がれることはなく、センサ６の劣化防止のためには効果的となる。
【００８１】
なお、乾燥剤は粉状や顆粒状など種々の物が使われ、上述のように、乾燥剤収納用開口部２９には通気性のカバー（図示せず）が貼り付けられているので、乾燥剤が乾燥剤収納室２８の外にこぼれ出ることはない。仮に、何らかの理由によってその乾燥剤の一部が乾燥剤収納室２８の外へとこぼれ出したとしても、それはセンサケース５Ａの内部のセンサ台９のセンサ６とは反対側にこぼれ出るだけである。そのため、こぼれ出した乾燥剤がセンサ６に付着してその性能を劣化させることはない。
【００８２】
さらに、乾燥剤収納用開口部２９を、センサケース５Ａの内部において、センサ台９の重合されたセンサ６とは反対側に設けた理由は、センサケース５Ａの内部に設けた重合されたセンサ６のうち後半や最後に使用されるセンサ６についてもその劣化を防止するためである。
【００８３】
すなわち、本実施の形態においては、乾燥剤収納用開口部２９は、センサケース５Ａの内部において、センサ台９の重合されたセンサ６とは反対側に設けている。この構成とすれば、乾燥剤収納用開口部２９と後半や最後に使用されるセンサ６の距離が近くなるので、後半や最後に使用されるセンサ６の劣化を効果的に防止することができる。
【００８４】
なお、センサ台９には、重合されたセンサ６とは反対側の面の中央部分にバネ１０の一端側を収納する筒状収納部９ｂを設けている。このため、このバネ１０がセンサ台９と収納蓋１１Ａの中央部分を押し広げることにより、センサ台９を介してセンサ６がセンサ案内壁１４側に適切に押しつけられ、収納蓋１１Ａが容器１の内面に適切に押し付けられる。
【００８５】
また、図１６に示すように、センサケース５Ａのセンサ案内壁１４の部分には、溝状のガイド開口部１８の両側に沿って２本の細長い当接突起３０を設けている。センサケース５Ａは、この当接突起３０を容器１の内面に当接させた状態で、容器１内を摺動する。
【００８６】
さらにまた、容器１の内面側には、図１５、図１７に示すように、ガイド開口部１８内を摺動する長板形状の押出突起３１が、ガイド開口部１８に挿入された状態で、この細長いガイド開口部１８に沿って２本設けられている。センサ６は、図１５に示すように、バネ１０によって２本の押出突起３１に押し付けられる。
【００８７】
容器１に設けた２本の押出突起３１は、容器１の開口部側の端部を、図１７に示すように、センサ６の電極７とは反対側の端部で血液（検体）の点着部８の両側に当接させている。このため、押出突起３１がセンサ６をセンサケース５Ａの外に押し出す時に、点着部８に押し出し圧力がかかるのを防止できる。
【００８８】
さらに、２本の押出突起３１の容器１の開口部側は、センサ６の点着部８の形状に対応させた曲面で構成しているので、センサ６を適切に押し出すことができる。
【００８９】
さらに本実施の形態において、センサケース５Ａのセンサ排出口１５部分には、このセンサ排出口１５を挟んでガイド突起１６と対応する位置に、センサ受け突起３２を設けている。このセンサ受け突起３２、ガイド突起１６、２つの押出突起３１が、図１７に示すように、センサ６の点着部８側で、センサ６の下面、上面、側面に接する。このため、センサ６は、その排出終了状態においてもセンサケース５Ａから落下することはなく、センサケース５Ａに保持される。
【００９０】
したがって、センサ６は、その排出終了状態において、センサケース５Ａに保持されつつ、その電極７側方向にだけは容易に引き出すことができる。
【００９１】
なお、図１４、図１６に示すように、センサケース５Ａの外側面の中央部には、センサケース５Ａの引き出し方向にガイド溝３３がそれぞれ設けられている。この２つのガイド溝３３内を容器１に設けた２つの案内突起（図示せず）が摺動することにより、センサケース５Ａは容器１からスムーズに引き出すことができる。
【００９２】
また、センサケース５Ａにおいて容器１の開口部側の面には、ガイド溝３３と収納蓋１１Ａの間に引出取手３４を設けたので、使用者は、容器１の内面に押し付けられた収納蓋１１Ａに近い位置を把持してセンサケース５Ａを引き出すことができ、その結果として、センサケース５Ａを容器１から安定的に引き出すことができる。
【００９３】
以上のように本発明のセンサ収納容器は、開口部を有する容器と、この容器の開口部を開閉自在に覆う蓋と、この蓋を開けた状態で容器の開口部から引き出し自在に設けたセンサ収納体とを備え、センサ収納体には、開口部から引き出し自在に設けられるセンサケースを備える。また、センサケースの内部において、電極側を容器の開口部側にした状態で重合されて収納される複数の板状のセンサと、このセンサケース内において重合収納されたセンサを一方側に付勢する付勢体を有する。また、センサケースには、容器の開口部側の面で、付勢体によってセンサが付勢される部分にセンサ排出口を設けるとともに、このセンサ排出口のセンサケースの外側部分にはセンサ排出口を測定器のセンサ挿入口に合致させるためのガイド突起を設ける。さらに、容器の内面には、この容器の開口部からセンサケースが引き出された状態において、センサケースの内部のセンサの電極とは反対側の端部に対応する部分に、このセンサの電極とは反対側の端部に当接する押出突起を設ける。
【００９４】
すなわち、本発明においては、使用者が密閉状態となっている容器の蓋を開放し、センサを収納したセンサケースを容器から引き出すと、センサがセンサ排出口に対向する位置に配置される。次に、使用者が、センサケースのガイド突起を測定器のセンサ挿入部に合致させることによりセンサケースから測定器へのセンサの進入路が形成される。この合致状態から、容器を測定器側に一度だけ押しつけると、この押し付け動作により、容器の押出突起がセンサケース内のセンサをセンサ排出口側に押し出し、押し出されたセンサが、センサの進入路を通って測定器の所定の位置に装着される。
【００９５】
つまり、密閉した容器の蓋を開放してセンサを収納したセンサケースを容器から引き出す。そして、センサケースのガイド突起を測定器のセンサ挿入部に合致させ、容器を測定器に押し付けるだけで、センサを測定器に装着させることができる。さらにこの時、センサケースが容器内に収納されるのである。
【００９６】
その後、容器の蓋を閉成すると、残りのセンサを再び密閉状態で収納することができる。
【００９７】
その結果として、使用者は、密閉状態で収納された容器内のセンサを測定器に容易に装着することができるので、使い勝手を良くすることができる。
【産業上の利用可能性】
【００９８】
本発明のセンサ収納容器は、たとえば血糖値を測定するセンサを収納するセンサ収納容器として活用が期待されるものである。
【符号の説明】
【００９９】
１  容器
２  蓋
３，３Ａ  センサ収納体
４  接続部
５，５Ａ  センサケース
５ａ  センサ収納開口部
６  センサ
７  電極
８  点着部
９  センサ台
９ａ  乾燥剤
９ｂ  筒状収納部
１０  バネ（付勢体の一例）
１１  収納蓋
１１Ａ  収納蓋
１２  係合孔
１３  係合突起
１４  センサ案内壁
１４ａ  ストッパ
１５  センサ排出口
１６  ガイド突起
１７，３１  押出突起
１８  ガイド開口部
１９  測定器
２０  センサ挿入部
２０ａ  センサ挿入口
２１  表示部
２２  排出レバー
２３  押し付け突起
２４  センサ残量確認窓
２５  接続部
２６  引き出しストッパ
２７  ストッパ
２８  乾燥剤収納室
２９  乾燥剤収納用開口部
３０  当接突起
３２  センサ受け突起
３３  ガイド溝
【図１】
2013187031.tif 000003
【図２】
2013187031.tif 000004
【図３】
2013187031.tif 000005
【図４】
2013187031.tif 000006
【図５】
2013187031.tif 000007
【図６】
2013187031.tif 000008
【図７】
2013187031.tif 000009
【図８】
2013187031.tif 000010
【図９】
2013187031.tif 000011
【図１０】
2013187031.tif 000012
【図１１】
2013187031.tif 000013
【図１２】
2013187031.tif 000014
【図１３】
2013187031.tif 000015
【図１４】
2013187031.tif 000016
【図１５】
2013187031.tif 000017
【図１６】
2013187031.tif 000018
【図１７】
2013187031.tif 000019
【手続補正書】
【提出日】平成26年9月19日(2014.9.19)
【手続補正１】
【補正対象書類名】明細書
【補正対象項目名】００１８
【補正方法】変更
【補正の内容】
【００１８】
（第１の実施の形態）
図１、図２に示すように、本発明の第１の実施の形態におけるセンサ収納容器は、上面に長方形状の開口部を有する角筒状の容器１と、この容器１の開口部を開閉自在に覆う蓋２と、容器１の内部に、容器１の開口部から引き出し自在に設けたセンサ収納体３を備えている。
【国際調査報告】
2013187031.tif 000020
2013187031.tif 000021
2013187031.tif 000022
2013187031.tif 000023